(57)【要約】【課題】復針位置の調整が容易に行われ得る機械式クロノグラフ時計を提供すること【解決手段】機械式クロノグラフ時計１０は、基本中心軸線Ｃを規定する復針レバー支持軸と、復針レバー支持軸に装着され該支持軸の基本中心軸線Ｃに対して偏心した調整中心軸線Ｑを規定する偏心部１１０であって、調整中心軸線Ｑの基本中心軸線Ｃに対する偏心の向きが調整可能なものと、基端部において調整中心軸線Ｑのまわりで回動可能に偏心部座に支持された基部側アーム部９２及び該基部側アーム部の先端部から二股に分岐・延在してなる二種類のクロノグラフ針リセットアーム部９３、９４を備えた復針レバー９０と、夫々が対応するクロノグラフ針リセットアーム部の先端部９３ａ、９４ａによって押圧された際に初期位置に復帰可能なハートカム３３、２３であって、夫々が対応する種類のクロノグラフ真３１、２１に取付けられたものとを有する。【選択図】　　図２
2004045191.tif 000002
【特許請求の範囲】
【請求項１】
基本中心軸線を規定する復針レバー支持手段と、
前記復針レバー支持手段に装着され該支持手段の前記基本中心軸線に対して偏心した調整中心軸線を規定する偏心手段であって、前記調整中心軸線の前記基本中心軸線に対する偏心の向きが調整可能なものと、
基端部において前記調整中心軸線のまわりで回動可能に偏心手段に支持された基部側アーム部及び該基部側アーム部の先端部から二股に分岐・延在してなる二種類のクロノグラフ針リセットアーム部を備えた復針レバーと、
夫々が対応する前記クロノグラフ針リセットアーム部の先端部によって押圧された際に初期位置に復帰可能なハートカムであって、夫々が対応する種類のクロノグラフ針に取付けられたものと
を有してなる機械式クロノグラフ時計。
【請求項２】
前記偏心手段が前記基本中心軸線のまわりで回動可能に前記復針レバー支持手段に嵌合され、前記復針レバーの前記基部側アーム部が調整中心軸線のまわりで回動可能に前記偏心手段に嵌合されている請求項１に記載の機械式クロノグラフ時計。
【請求項３】
前記偏心手段による偏心の向きが調整され得るように前記偏心手段の表面に基準中心軸線に関して実質的に直径方向に延びた被係合部が形成されている請求項１又は２に記載の機械式クロノグラフ時計。
【請求項４】
前記復針レバー支持手段が地板に支持され前記基本中心軸線を中心とする円柱状の中心軸を有し、前記偏心手段が円筒状内周面で中心軸に嵌合され該内周面に対して偏心した外周面を備えた偏心ブシュを有する請求項１から３までのいずれか一つの項に記載の機械式クロノグラフ時計。
【請求項５】
前記偏心ブシュがフランジ状部を有し、該フランジ状部の表面に基準中心軸線に関して実質的に直径方向に延びた被係合溝が形成されている請求項４に記載の機械式クロノグラフ時計。
【請求項６】
前記偏心ブシュを中心軸に固定する手段を有する請求項５に記載の機械式クロノグラフ時計。
【請求項７】
前記復針レバー支持手段が前記基本中心軸線を中心とする円柱状の孔を備えた地板を含み、前記偏心手段が、地板の円柱状孔に嵌合された基部側円柱状部と該基部側円柱状部の一端側に形成され該基部側円柱状部に対して偏心したレバー側円柱状部とを有する請求項１から３までのいずれか一つの項に記載の機械式クロノグラフ時計。
【請求項８】
前記クロノグラフ針が、秒クロノグラフ針と非秒クロノグラフ針とを含み、前記復針レバーのうち秒ハートカムに対応する一方のクロノグラフ針リセットアーム部の先端部が秒ハートカムに当接して該秒ハートカムを初期位置に復帰させる状態にある際、前記復針レバーのうち前記非秒ハートカムに対応する他方のクロノグラフ針リセットアーム部の先端部と復帰位置の非秒ハートカムとの相対位置が偏心手段の偏心の向きに応じて調整される請求項１から７までのいずれか一つの項に記載の機械式クロノグラフ時計。
【請求項９】
請求項１から８までのいずれか一つの項に記載の機械式クロノグラフ時計を備えたウオッチ。
【発明の詳細な説明】
【０００１】
【発明の属する技術分野】
本発明は、機械式クロノグラフ時計に係る。
【０００２】
【従来の技術】
基部側アーム部と該基部側アーム部の先端において二股に分かれてなる分クロノグラフ針リセットアーム部及び秒クロノグラフ針リセットアーム部とを有する復針レバーを用いて、分クロノグラフ針及び秒クロノグラフ針を初期位置に復針させる（リセットする）ことは、知られている。この種の復針レバーでは、該レバーの基部側アーム部の基端部を回動可能に回動軸で支持し、復針レバーばねの回動偏倚力によって分クロノグラフ針リセットアーム部及び秒クロノグラフ針リセットアーム部の夫々の先端部を対応するハートカム即ち分ハートカム及び秒ハートカムにぶつけて夫々のハートカムを初期位置の方へ戻すことにより、分クロノグラフ針及び秒クロノグラフ針をリセットするように構成されている。
【０００３】
この種の機械式クロノグラフ時計において、各種製造公差などを考慮して、秒クロノグラフ針リセットアーム部の先端部が秒ハートカムに当接した状態で、分クロノグラフ針リセットアーム部の先端部と分ハートカムとの間隙が十分に小さくなるように該間隙の大きさを調整可能にすること自体も、知られている。この間隙の調整のために、従来の機械式クロノグラフ時計では、復針レバーの二股部の根元すなわち基部側アーム部の先端部に円形孔を形成すると共に該孔の周壁に該孔と二股部とをつなぐ切込を入れておき、円形孔に断面が長円形の如き非円柱状のピンを打込み更に該非円柱状のピンを円形孔内で回すことにより、切込の開き具合を変更・調整して復針レバーの変形の仕方ないし程度を調整すること、すなわち秒クロノグラフ針リセットアーム部の先端部に対する分クロノグラフ針リセットアーム部の先端部の相対位置を変更・調整していた。
【０００４】
【発明が解決しようとする課題】
しかしながら、復針レバーは、各クロノグラフ針リセットアーム部が復針レバーばねの作用下で対応するハートカムにぶつかることにより各ハートカムを初期位置に機械的に復帰させるに必要な剛性を備えることから、鉄系の如く比較的剛性の高い材料体からなるので、非円柱状のピンの打込み自体が必ずしも容易でないのみならず、復針レバーの剛性に抗して非円柱状ピンを所定の向きに回転させることも容易でない。また、復針レバーの二股部に奥の孔につながる割溝を設ける必要があるだけでなく偏心ピンを別個に設ける必要があり、部品の構造が複雑化するだけでなく、ピンを打込むスペースや該ピンが打込まれた二股部の自由な回転を許容するスペースを確保する必要もある。
【０００５】
本発明は、前記した点に鑑みなされたものであり、その目的とするところは、復針位置の調整が容易に行われ得る機械式クロノグラフ時計を提供することにある。
【０００６】
【課題を解決するための手段】
本発明の機械式クロノグラフ時計は、前記目的を達成すべく、基本中心軸線を規定する復針レバー支持手段と、復針レバー支持手段に装着され該支持手段の基本中心軸線に対して偏心した調整中心軸線を規定する偏心手段であって、調整中心軸線の基本中心軸線に対する偏心の向きが調整可能なものと、基端部において調整中心軸線のまわりで回動可能に偏心手段に支持された基部側アーム部及び該基部側アーム部の先端部から二股に分岐・延在してなる二種類のクロノグラフ針リセットアーム部を備えた復針レバーと、夫々が対応するクロノグラフ針リセットアーム部の先端部によって押圧された際に初期位置に復帰可能なハートカムであって、夫々が対応する種類のクロノグラフ針に取付けられたものとを有する。
【０００７】
本発明の機械式クロノグラフ時計では、「復針レバー支持手段に装着され該支持手段の基本中心軸線に対して偏心した調整中心軸線を規定する偏心手段であって、調整中心軸線の基本中心軸線に対する偏心の向きが調整可能なもの」が設けられているので、この調整可能な偏心手段を操作して偏心の向きを調整することにより、復針レバーの二種類のクロノグラフ針リセットアーム部の初期位置を調整し得、これにより、該二種類のクロノグラフ針リセットアーム部の初期位置に応じて規定される二種類のハートカムの初期位置を調整し得る。従って、復針レバーを偏心手段を介して凡その位置で復針レバー支持手段に取付けておき、その後で偏心手段の偏心の向きを調整することにより復針レバーの位置を調整すればよいから、復針レバーの取付けに特別な技能や経験を要せず、低コストで迅速な組付けが可能になり、復針レバーの正確な位置決めも容易に行われ得る。
【０００８】
この二種類のクロノグラフ針は、典型的には、「時クロノグラフ針」、「分クロノグラフ針」及び「秒クロノグラフ針」のうちのいずれか二つである。二つのうちの一方のクロノグラフ針の厳密な位置が該クロノグラフ針と一体的な歯車の歯に係合するジャンパで規定され得る場合、他方のクロノグラフ針と一体的になるハートカムに対して復針レバーの対応するリセットアーム部を位置決めした際における前記一方のクロノグラフ針と一体的なハートカムと復針レバーの対応するリセットアーム部との隙間を、該隙間による遊びが歯車の単位回転角未満になるように、偏心手段で調整すればよい。二種類のクロノグラフ針は、典型的には、秒クロノグラフ針と分クロノグラフ針である。但し、所望ならば、他の組合せでもよい。秒及び分クロノグラフ針のリセット位置を調整する場合、特にリセット位置のズレが目立ちやすい秒クロノグラフ針については、復針レバーの対応するリセットアーム部と秒ハートカムとを当接させた状態を初期位置とし、該初期位置おいて対応する文字板の向きに合せて秒クロノグラフ針を秒ハートカムと一体にされた秒クロノグラフ真に取付け、分クロノグラフ針のリセット位置を偏心手段による隙間調整で行う。但し、秒クロノグラフ歯車にジャンパが随伴しているような場合には、所望ならば、秒クロノグラフ針に係る秒ハートカムのリセット位置を偏心手段による隙間調整で決定するようにしてもよい。
【０００９】
本発明の機械式クロノグラフ時計では、典型的には、偏心手段が基本中心軸線のまわりで回動可能に復針レバー支持手段に嵌合され、復針レバーの基部側アーム部が調整中心軸線のまわりで回転可能に偏心手段に嵌合されている。基本中心軸線を規定する復針レバー支持手段は、軸でも、軸を受ける軸受ないし孔規定手段でもよく、同様に、調整中心軸線を規定する偏心手段も、軸でも、軸を受ける軸受ないし孔規定手段でもよい。
【００１０】
ここで、偏心手段のうち復針レバー支持手段に嵌合される部分の径は、典型的には、偏心手段のうち復針レバーの基部側アーム部分に嵌合される部分の径よりも小さい。但し、所望ならば、同程度でも、より大きくてもよい。
【００１１】
この場合、本発明の機械式クロノグラフ時計では、例えば、復針レバー支持手段が地板に支持され基本中心軸線を中心とする円柱状の中心軸を有し、偏心手段が円筒状内周面で中心軸に嵌合され該内周面に対して偏心した外周面を備えた偏心ブシュを有していても、復針レバー支持手段が基本中心軸線を中心とする円柱状の孔を備えた地板を含み、偏心手段が、地板の円柱状孔に嵌合された基部側円柱状部と該基部側円柱状部の一端側に形成され該基部側円柱状部に対して偏心したレバー側円柱状部とを有していてもよい。
【００１２】
本発明の機械式クロノグラフ時計では、典型的には、偏心手段による偏心の向きが調整され得るように偏心手段の表面に基準中心軸線に関して実質的に直径方向に延びた被係合部が形成される。
【００１３】
その場合、被係合部に工具の先端などの係合部を係合させて回転させることにより、偏心の向きが容易且つ正確に調整され得る。ここで、被係合部は、例えば、直径方向に延びる溝からなる。但し、被係合部が、偏心手段の端面の代わりに周面に形成されていてもよい。その場合、被係合部は例えば粗面化された周面領域からなる。
【００１４】
本発明のクロノグラフ時計では、典型的には、例えば、復針レバー支持手段が地板に支持され基本中心軸線を中心とする円柱状の中心軸を有し、偏心手段が円筒状内周面で中心軸に嵌合され該内周面に対して偏心した外周面を備えた偏心ブシュを有する。その場合、偏心ブシュを中心軸に対して回転させるだけで、偏心の向きが調整され得る。その場合、典型的には、偏心ブシュがフランジ状部を有し、該フランジ状部の表面に基準中心軸線に関して実質的に直径方向に延びた被係合溝が形成されている。この場合、偏心ブシュの回転が容易に行われ得、偏心の向きの調整が容易であるにもかかわらず、偏心ブシュ自体が復針レバーなどの回転に伴って中心軸に対して回転される虞れは少ない。但し、偏心ブシュを中心軸に対して位置決めした後、偏心ブシュが中心軸に対して位置ズレする（偏心の向きが変わる）虞れを避けるべく、好ましくは、偏心ブシュを中心軸に固定する固定手段が設けられる。この固定手段としては、例えば、ねじが用いられる。但し、他のどのような固定手段でもよい。
【００１５】
本発明の機械式クロノグラフ時計では、典型的には、クロノグラフ針が、秒クロノグラフ針と非秒クロノグラフ針とを含み、復針レバーのうち秒ハートカムに対応する一方のクロノグラフ針リセットアーム部の先端部が秒ハートカムに当接して該秒ハートカムを初期位置に復帰させる状態にある際、復針レバーのうち非秒ハートカムに対応する他方のクロノグラフ針リセットアーム部の先端部と復帰位置の非秒ハートカムとの相対位置が偏心手段の偏心の向きに応じて調整される。
【００１６】
なお、以上のような機械式クロノグラフ時計は、典型的には、ウオッチに組込まれる。この場合、ウオッチは典型的には機械式のアナログウオッチからなるけれども、所望ならば、運針制御部分は、電子時計であってもよい。
【００１７】
【発明の実施の形態】
本発明の好ましい実施の形態のいくつかを添付図面に示した好ましい実施例に基づいて説明する。
【００１８】
【実施例】
本発明による好ましい一実施例のクロノグラフ時計を備えたウオッチは、例えば、図５に示したような外観を有する。ウオッチ１は、通常の時刻表示を与える通常のアナログ式腕時計２として機能すると共にストップウオッチとしての経時表示すなわちクロノグラフ表示を与えるクロノグラフ時計３として機能する。すなわち、ウオッチ１は、通常運針の際に時刻表示を与える時針１１、分針１２及び秒針１３並びに対応する文字板部１０、１４と、クロノグラフ時計動作の際にクロノグラフ時刻表示を与えるクロノグラフ時針ないし時クロノグラフ針（以下では「時クロノグラフ針」という）１６、クロノグラフ分針ないし分クロノグラフ針（以下では「分クロノグラフ針」という）１７及びクロノグラフ秒針ないし秒クロノグラフ針（以下では「秒クロノグラフ針」という）１８並びに関連する文字板部１５、１９及び１４とを有する。即ち、この例では、通常運針の際における時針１１及び分針１２による時刻表示は、大きい文字板部１０で行われ、秒針１３による時刻表示は、小さい文字板部１４で行われる。一方、クロノグラフ動作すなわちストップウオッチ動作の際における時クロノグラフ針１６及び分クロノグラフ針１７による時刻表示は、夫々、対応する小さい文字板部１５、１９で行われ、秒クロノグラフ針１８による時刻表示は、大きい文字板部１０で行われる。なお、この例では、クロノグラフ分計は３０分計になっている。図５において、「ＩＩＩ」及び「ＸＩＩ」は、夫々、文字板１０についての３時及び１２時方向を指す。
【００１９】
クロノグラフ時計３は、更に、スタート・ストップボタン４及びリセットボタン５を有する。ウオッチ１のクロノグラフ時計３では、通常の運針動作をしている場合、時クロノグラフ針１６、分クロノグラフ針１７及び秒クロノグラフ針１８は、通常は、夫々、初期位置にある。クロノグラフ時計３において、スタート・ストップボタン４を、Ａ１方向に押すと、時クロノグラフ針１６、分クロノグラフ針１７及び秒クロノグラフ針１８が、クロノグラフ経時ないし計時動作を開始する。なお、ボタン４は、押圧後、後述のばね５５によりＡ２方向の突出位置に戻される。クロノグラフ時計３において、スタート・ストップボタン４を再度Ａ１方向に押すと、クロノグラフ経時ないし計時動作が停止され、時クロノグラフ針１６、分クロノグラフ針１７及び秒クロノグラフ針１８が停止する。次に、リセットボタン５をＢ１方向に押すと、時クロノグラフ針１６、分クロノグラフ針１７及び秒クロノグラフ針１８は、リセットすなわち帰零されて夫々の初期位置すなわちゼロ位置に戻る。なお、リセットボタン５は、押圧後、後述のばね８６によりＢ２方向の突出位置に戻される。
【００２０】
通常の計時用のアナログ式腕時計２自体は周知であるので、以下では、以上のようなウオッチ１のクロノグラフ時計３についてしかもそのうち、主として、分クロノグラフ針１７及び秒クロノグラフ針１８の部分について、そのクロノグラフ機構７に関して、図１から図４に基づいて説明する。図１において、「ＩＩＩ」及び「ＸＩＩ」は、夫々、図５の文字板１０や関連する外枠ないしケースについての３時及び１２時方向を指す。
【００２１】
図１において、秒クロノグラフ車２０は、秒クロノグラフ真２１と該真２１に固定された秒クロノグラフ歯車２２及び秒ハートカム２３とを有し、秒クロノグラフ真２１の中心軸線Ｃ１の周りで回転可能である。この秒クロノグラフ真２１には、秒クロノグラフ針１８が取付けられている。
【００２２】
この秒クロノグラフ車２０（より詳しくは秒クロノグラフ歯車２２、以下同）には、秒クロノグラフ中間車２４（より詳しくはその歯車、以下同）が、噛合可能である。この秒クロノグラフ中間車２４は、アナログ式腕時計２の通常の時刻を表示する秒針１３（図３）の秒車（図示せず）に常時噛合し、通常運針に伴い常時回転している。
【００２３】
分クロノグラフ車３０は、分クロノグラフ真３１と該真３１に固定された分クロノグラフ歯車３２及び分ハートカム３３とを有し、分クロノグラフ真３１の中心軸線Ｃ２の周りで回転可能である。分クロノグラフ車３０には、分クロノグラフ中間車３４（より詳しくは、その歯車）が常時噛合している。この分クロノグラフ真３１には、分クロノグラフ針１７が取付けられている。分クロノグラフ歯車３２には、分クロノグラフジャンパ３５が規正部３５ａで弾性的に押付けられて、分クロノグラフ車３０の回転を規正している。
【００２４】
クロノグラフ機構７は、クロノグラフ動作の開始（スタート）、停止（ストップ）及びクロノグラフ針の帰零（リセット）動作を支える作動カムないしピラーホイール４０を有する。作動カム４０は、その中心軸線Ｃ３のまわりで回転可能であり、周面に偶数個のラチェエット歯４１を備え、端面に該端面から突出した駆動歯ないしピラー４２をラチェット歯４１の一つおきに備える。ラチェット歯４１には、地板６に基端で固定された作動カムジャンパ４４の先端の規正突起４５が弾性的に押付けられている。なお、この実施例では、クロノグラフ機構７がピラー（作動カム）４０を有するタイプについて説明するけれども、クロノグラフ機構７は、ピラー式の代わりにカム式等他のタイプでもよい。
【００２５】
作動カム４０のラチェット歯４１には、スタート・ストップボタン４（図２又は図５）と一体的な作動レバー５０が、作動爪部５１で係合可能である。作動レバー５０は、スタート・ストップボタン４に当接可能なボタン作動受部５２と、作動レバー支持ピン９９に対してＡ１、Ａ２方向に相対動可能に遊嵌された長孔５３と、ばね受け５４とを有する。ばね受け５４には、基端５５ａで地板に固定された作動レバーばね５５の先端５５ｂが係止されている。従って、作動レバー５０は、Ａ１、Ａ２方向に可動であり、作動レバーばね５５によって常時Ａ２方向の偏倚力を受けている。作動レバー５０がＡ１方向に押圧されると、作動レバー５０の作動爪部５１が作動カム４０のラチェット歯４１に係合してＡ１方向に押し、作動カム４０をジャンパ４４の規正下で１ピッチ分だけＲ３１方向に回転させる。作動レバー５０は、Ａ１方向の押圧後、ばね５５によりＡ２方向に戻される。
【００２６】
中心軸線Ｃ４のまわりで回動可能な停止レバー６０は、一方のアーム部６１の先端側縁に作動カム４０の駆動歯ないしピラー４２に係合可能な規正突起６２を有し、他方のアーム部６３の外側縁に発停レバーばね当接縁部６４を有する。アーム部６３は、更に、その先端部６５に発停レバー当接部６６を有し、先端部６５の近傍に時発停伝えレバー作動ピン７７ａに係合する凹部６７を有する。アーム部６３の内側縁側には秒クロノグラフ車２０の秒クロノグラフ歯車２２の周面に押付けられ得る規正部６８が分岐・延設されている。停止レバー６０は、作動カム４０がラチェット歯４１の一ピッチ分回転するごとに、規正突起６２が隣接駆動歯４２、４２の間に嵌り込んで係合する停止位置（図１や図２等）と駆動歯４２の外周面に当接する停止解除位置（図６等）とを、交互に採る。停止位置では、停止レバー６０はＲ４１方向に回動して、規正部６８が秒クロノグラフ車２０に押付けられる。停止解除位置では、停止レバー６０は、Ｒ４２方向に回動して、規正部６８が秒クロノグラフ車２０から離れその回転を許容する。
【００２７】
中心軸線Ｃ５のまわりで回動可能な発停レバーばね８０は、二股に分かれたレバーばね部、すなわち停止レバーばね部８１及び発停レバーばね部８２を有し、停止レバーばね部８１で停止レバー６０の当接部６４に弾性的に押付けられて停止レバー６０にＲ４１方向の回転偏倚力を及ぼし、発停レバーばね部８２で発停レバー７０のアーム部７１に弾性的に押付けられる。
【００２８】
中心軸線Ｃ６のまわりでＲ６１、Ｒ６２方向に回転可能な発停レバー７０は、アーム部７１に加えて、二股のアーム部分７２、７３を含むアーム部７４を有する。アーム部分７２は、先端近傍の側縁に被係合凸部７５ａ及び当接解除凹部７５ｂを有し、先端部で秒クロノグラフ中間車２４を回転可能に支持している。
【００２９】
発停レバー７０のアーム部分７３には、発停伝えレバー７６が中心軸線Ｃ７のまわりで回動可能に連結され、発停伝えレバー７６のアーム部７７には前述の発停伝えレバー作動ピン７７ａが取付けられて、停止レバー６０の係合凹部６７に係合している。発停伝えレバー７６のもう一方のアーム部７８には、時発停レバー作動ピン７８ａが取付けられている。
【００３０】
復針伝達レバー８４は、中心軸線Ｃ５のまわりでＲ５３、Ｒ５４方向に回動可能で、作動受部８４ａにおいて、リセットボタン５（図５）に当接可能で、係合突起部８４ｂで復針規正レバー８５の被係合凹部８５ａに係合している。復針規正レバー８５は回動軸８５ｂの中心軸線Ｃ８のまわりでＲ８１、Ｒ８２方向に回動可能で、回動軸８５ｂと復針伝達レバー８４の内縁係止部８４ｃとの間には、復針伝達レバー８４にＲ５４方向の回転偏倚力を及ぼす復針伝達レバーばね８６が設けられている。ほぼＵ字状の復針伝達レバーばね８６は、Ｕの湾曲底部が復針伝達レバー８４のアーム部８４ｄの内縁部８４ｅに抱かれている。復針規正レバー８５は、作動カム４０の駆動歯４２の列の外周にほぼ沿って延び得る形状の円弧状のアーム部８７を有し、アーム部８７は、隣接駆動歯４２、４２の間に係合可能な規正突起部８７ａを内周縁に備えると共に復針レバー９０に係合可能な復針レバー規正突起部８７ｂを先端部に備える。
【００３１】
従って、後で詳述するようにクロノグラフ機構７がストップ状態にある際、リセットボタン５のＢ１方向の押圧により復針伝達レバー８４がばね８６のばね力に抗してＲ５３方向に回動され係合突起部８４ｂで被係合凹部８５ａをＲ８１方向に押すと、後述のように復針規正レバー８５の復針レバー規制突起部８７ｂが復針レバー９０から外れて復針レバー９０によるリセット動作を許容すると共に復針規正レバー８５の規正突起部８７ａが作動カム４０の隣接駆動歯４２、４２の間に嵌り込む。一方、後で詳述するようにクロノグラフ機構７がリセット状態にある際に、作動カム４０がラチェット歯４１の一ピッチ分だけ回転されると、復針規正レバー８５の規正突起部８７ａが駆動歯４１の外周面によってＲ８２方向に回動され、アーム部８７のＲ８２方向の回動に伴って復針レバー規制突起部８７ｂが復針レバー９０を非作動位置に戻す。
【００３２】
なお、８９ａ、８９ｂは、夫々、時クロノグラフ針１６に係る時復針伝達レバー及び時発停レバーであり、中心軸線Ｃ９１のまわりで回動可能な時復針伝達レバー８９ａは、分クロノグラフ針１７及び秒クロノグラフ針１８に係る復針伝達レバー８４と同様に、リセットボタン５の押圧に従って時クロノグラフ針１６のリセット動作を開始させ、時復針伝達レバー８９ａの作動突起部８９ｃに被係合凹部８９ｄで係合され中心軸線Ｃ９２のまわりで回動可能な時発停レバー８９ｂはピン８９ｅによってばね部８９ｆで図１等において時計回りに回転偏倚され、一対の係合突起８９ｇ、８９ｈ間の凹部８９ｊにある時発停レバー作動ピン７８ａと係合突起８９ｇ又は８９ｈで係合可能である。この時クロノグラフ針１６のリセット機構等は、例えば、特開平１１−１８３６５３号公報に記載の機構と同様であり、ここでは、詳細な説明は省く。
【００３３】
図１から図３の（ａ）に示したように、復針レバー９０は、基端側の軸受部９１で軸構造体１００に回動可能に装着された基部側アーム部９２と、該基部側アーム部９２の先端から二股に分かれた分クロノグラフ針リセットアーム部９３及び秒クロノグラフ針リセットアーム部９４とを有し、ばね受部９５で復針レバーばね９６によってＦ方向の回動偏倚力を常時受けている。分クロノグラフ針リセットアーム部９３は分ハートカム３３の一対の最小径規定部分３３ａに当接可能なリセット面９３ａを先端に有し、秒クロノグラフ針リセットアーム部９４は秒ハートカム２３の一対の最小径規定部分２３ａに当接可能なリセット面９４ａを先端に有する。復針レバー９０は、更に、復針規正レバー８５の復針レバー規正突起部８７ｂが係合可能な被係合段部９７（係合解除可能な肩部９７ａ）を、基部側アーム部９２の内側縁に備える。
【００３４】
軸構造体１００は、図３の（ａ）に示したように、復針レバー支持手段としての作動レバー支持ピン９９に加えて、固定ねじ９８で固定された偏心ブシュ１１０を有する。作動レバー支持ピン９９は、地板に装着された基端部９９ａ及び作動レバー５０の長孔部５３が遊嵌された大径軸部９９ｂに加えて、先端側の小径軸部９９ｃを備え、該小径軸部９９ｃに偏心ブシュ１１０が嵌合されている。軸部９９ａ、９９ｂは同一径でもよい。偏心ブシュ１１０は、中心軸線がＣの内周側円筒面１１１に対して偏心した中心軸線がＱの外周側円筒面１１２を備えた偏心筒状部１１３と、該筒状部１１３の先端から径方向外方に延在した鍔ないしフランジ状部１１４とを有し、フランジ状部１１４の表面には、内周側円筒面１１１の中心軸線Ｃに関してほぼ直径方向に延びる被係合溝１１５が形成されている。なお、復針レバー９０の軸受部９１は、偏心ブシュ１１０の偏心筒状部１１３の外周面に嵌装されている。
【００３５】
従って、偏心ブシュ１１０の被係合溝１１５に小さなマイナスドライバの先端などを係合させて、ピン９９の中心軸線Ｃのまわりで偏心ブシュ１１０を回動させることにより、偏心ブシュ１１０の偏心の向きを調整し得、この偏心の向きの調整により、復針レバー９０の中心軸線すなわち調整中心軸線Ｑの位置を調整し得る。なお、基本中心軸線Ｃと偏心ないし調整中心軸線Ｑとの間隔は、この例では、０．０５ｍｍ程度である。但し、この間隔は、復針レバー９０のアーム部９３、９４の形状や長さ等に依存するもので、より大きくてもより小さくてもよい。
【００３６】
より詳しくは、図２に示した例では、偏心ブシュ１１０の中心軸線Ｑすなわち偏心ブシュ１１０の偏心筒状部１１３の外周面１１２の中心軸線に一致する偏心中心軸線Ｑの偏心方向に沿って溝１１５が延在しており、溝１１５が図２において想像線１１５ａで示した中間位置にある場合、偏心ブシュ１１０が中心軸線ＣのまわりでＲ１方向に回転されると、（秒クロノグラフ針リセットアーム部９４の秒ハートカムリセット面９４ａが秒ハートカム２３の対応する部位２３ａ、２３ａにより規定される面に当接するという条件下で）復針レバー９０の分クロノグラフ針リセットアーム部９３の先端面９３ａと分ハートカム３０の最小径規定部分３３ａ、３３ａとの隙間Ｇが拡がり、Ｒ２方向に回転されるとこの隙間Ｇが狭くなる。この位置が、図４では、点Ｐ０で示した位置に対応する。間隙Ｇの大きさが最小になるのは、図２の実線で示したように、秒ハートカム２３の回転中心軸線Ｃ１と分ハートカム３３の回転中心軸線Ｃ２とを結ぶ仮想線Ｌ１と平行で中心軸線Ｃを通る仮想線Ｌ２を基準として、偏心中心軸線Ｑが基本中心軸線Ｃに対して角度α＝＋α０（但し、時計回りの方向を＋とする）だけずれた向きにある場合である（この角度αはこの例では＋５２度である）。
【００３７】
図２の想像線で示した位置すなわち図４のグラフの点Ｐ０に対応する位置から、偏心ブシュ１１０がＲ１方向に回転されると、図４の正弦曲線Ｓ０の正方向に隙間Ｇが増大し、偏心ブシュ１１０がＲ２方向に回転されると、図４の正弦曲線Ｓ０の負方向に隙間Ｇが減少することになる。なお、図４において、正弦曲線Ｓ１は最大公差の偏心の場合を示し、正弦曲線Ｓ２は最小公差の偏心の場合を示す。
【００３８】
例えば、隙間Ｇが「０」になるのが、図４においてＧ０で表した線であるようなサイズ、形状及び配置で関連部材が構成されている場合、Ｇ０はプラスマイナス０．５分未満になるように、作られ、典型的には、実線で表す位置またはその近傍になるように偏心ブシュ１１０が回されることになる。但し、その場合、隙間Ｇの大きさが公差の大小にかかわらず、すなわち線Ｓ２の場合でも、α＝＋α０の位置で、隙間Ｇの大きさがプラスマイナス０．５分相当未満である必要がある。
【００３９】
従って、設計上の安全のために、例えば、隙間Ｇが「０」になるのが図４においてＧ１で表した線であるようなサイズ、形状及び配置で関連部材が構成される場合、偏心ブシュ１１０は、位置Ｐ０と実線位置との間で且つ復針レバー９０の分クロノグラフ針リセットアーム部９３の先端面９３ａが分ハートカム３０に押付けられることのない適切な位置（間隙Ｇが十分に小さくなる（例えば３０μｍ程度以下になる）位置）を採るように偏心ブシュ１１０が回転されることになる。
【００４０】
分ハートカムリセット面９３ａと分ハートカム３３の対応する部位３３ａ、３３ａとの間に残るわずかの間隙の故に分ハートカム３３に中心軸線Ｃ２のまわりでＲ２１、Ｒ２２方向に遊びが残っていても、分クロノグラフ歯車２２の歯に係合する分ジャンパ３５の規正部３５ａにより分クロノグラフ車２０の回動位置は、分単位で、正確に位置決めされ得るから、隙間Ｇは、偏心ブシュ１１０によりプラスマイナス０．５分未満に低減されればよい。
【００４１】
なお、偏心ブシュ１１０を固定ねじ９８で固定する代わりに、図３の（ｂ）に示したように、偏心ブシュ１１０を支持ピン９９の小径円柱状部９９ｃに単に嵌合させるようにしてもよい。
【００４２】
また、偏心ブシュ１１０を支持ピン９９と別体で形成する代わりに、偏心ブシュ１１０を支持ピン９９と一体に形成してもよい。その場合、例えば、図３の（ｃ）に示したように、支持ピン９９ｈの先端部を偏心ブシュ１１０の偏心筒状部１１３の外周面１１２と同様に偏心した周面１２２を備えた円柱状部９９ｆとして、該円柱状部９９ｆを偏心手段として機能させてもよい。その場合、円柱状部９９ｆの端面１２６に溝１２５を形成して、ピン９９ｈ自体を地板６などに対して中心軸線Ｃのまわりで回転可能にしておく。
【００４３】
なお、以上においては、スタート・ストップ用の作動レバー５０の支持ピン９９のうち先端部側の部分をそのまま復針レバー９０の偏心ブシュ１１０の回転中心Ｃを与えるピンとして併用した例について説明したけれども、これら二つのピンは、同軸に配置されなくてもよく、別々でもよい。
【００４４】
次に、以上の如く構成されたウオッチ１のクロノグラフ時計３のクロノグラフ機構７について、リセット位置の調整操作及びリセット動作を中心としたクロノグラフ動作に関して、説明する。
【００４５】
ウオッチ１の通常の運針動作においては、クロノグラフ機構７は、図１に示したようなリセット状態を採る。従って、クロノグラフ機構７のリセット位置の調整は、ウオッチ１の全体がまだ組立てられていない点を除いてこの通常運針状態と同様な状態おいて、行われる。
【００４６】
クロノグラフ機構７のリセット位置の調整は、固定ねじ９８（図３の（ａ））の取付前で且つ秒クロノグラフ針１８の取付前に行われる。また、マイナスドライバの先端部を偏心ブシュ１１０のフランジ状部１１４の係合溝１１５に係合させて偏心ブシュ１１０を中心軸線Ｃのまわりで回転させることによって、偏心ブシュ１１０を、例えば、図２の想像線で示した初期位置（図４において点Ｐ０で示す位置）に設定しておく。次に、復針レバーばね９６の作用下において復針レバー９０を偏心ブシュ１１０のまわりで即ち偏心ブシュ１１０の外周面１１２の中心軸線Ｑのまわりで回して、秒クロノグラフ針リセットアーム部９４を秒ハートカム２３に当てる。秒クロノグラフ針リセットアーム部９４の先端面９４ａが秒ハートカム２３の二つの対称な最近接位置２３ａ、２３ａの両方に当るように、秒クロノグラフ針リセットアーム部９４の先端面９４ａに対して秒ハートカム２３の向き即ち秒クロノグラフ車２０の中心軸線Ｃ１のまわりでの回転方向を調整する。次に、この状態において、分クロノグラフ車３０を復針レバー９０の分クロノグラフ針リセットアーム部９３の先端面９３ａに対して、可能な限り位置合せする。
【００４７】
このとき、分クロノグラフ車３０の分ハートカム３３が分クロノグラフ針リセットアーム部９３の先端面９３ａによって規制される可動範囲が、プラスマイナス０．５分未満の範囲であれば、その位置は、分ハートカム３３に対しても復針レバー９０が一応適正に位置決めされていることになる。更に、所望ならば、先端面９３ａと分ハートカム３３との隙間Ｇの大きさを目視等で判定してもよい。
【００４８】
一方、分クロノグラフ針リセットアーム部９３の先端面９３ａによって規制される分ハートカム３３の可動範囲がプラスマイナス０．５分を越える場合、分クロノグラフ針リセットアーム部９３の先端面９３ａと分ハートカム３３の最近接部３３ａ、３３ａとの間の隙間ないし間隙Ｇの大きさが大き過ぎる（この大きさは目視で判定してもよい）ので、偏心ブシュ１１０を支持ピン９９に対してＲ１方向に回すことにより、この間隙を小さくする。なお、偏心ブシュ１１０の回転は、復針レバー９０の秒クロノグラフ針リセットアーム部９４の先端面９４ａの向きや位置を多少なりとも変化させることになるので、偏心ブシュ１１０を所望角度回転させる毎に秒クロノグラフ針リセットアーム部９４の先端面９４ａが秒ハートカム２３の二つの対称な最近接位置２３ａ、２３ａの両方に当るように、復針レバー９０及び秒ハートカム２３の位置を調整する。いずれにしても、この間隙サイズ低減ないし減少操作によって、分クロノグラフ針リセットアーム部９３の先端面９３ａにより規制される分ハートカム３３の可動範囲が、プラスマイナス０．５分未満になると、隙間Ｇは適正な範囲内に抑えこまれたことになる。なお、この状態においてなお分ハートカム３３の可動範囲が比較的広く且つ隙間の適度な低減が更に可能であれば、偏心ブシュ１１０を更にＱ１方向に回して、分ハートカム３３の可動範囲をより小さくしてもよい。
【００４９】
このようにして、秒ハートカム２３を含む秒クロノグラフ車２０（但し、この段階では、秒クロノグラフ針は含まれない）及び復針レバー９０が所定位置に位置決めされ、分ハートカム３３を含む分クロノグラフ車３０が所定範囲内に位置に位置決めされる。なお、分クロノグラフ歯車３２には、分クロノグラフジャンパ３５が係合しているので、分クロノグラフ針リセットアーム部９３の先端面９３ａによって分ハートカム３３すなわち分クロノグラフ車３０が、例えばプラス・マイナス０．５分未満の精度で位置決めされれば、それ未満のズレは、分クロノグラフジャンパ３５によって強制的に規正され得る。
【００５０】
このような位置決めが完了すると、固定ねじ９８が締められて、偏心ブシュ１１０が支持ピン９８に対して、固定される。更に、最後に、秒クロノグラフ針１８が、文字板１０上で適正なゼロ位置をとるように、秒クロノグラフ真２１に取り付けられて、リセット位置における位置決め乃至調整すなわち隙間Ｇの管理が完了する。
【００５１】
この位置調整に際して、実際上単に偏心ブシュ１１０を軸線Ｃのまわりで実際上、プラス・マイナス９０度未満の範囲内で回転させればよいので、その位置調整が容易且つ確実に行われ得る。また、偏心ブシュ１１０の回転には、該偏心ブシュ１１０と係合するもの（この例では溝１１４に係合するマイナスドライバなど）をブシュ１１０に係合させて回せばよいので、従来の非円柱状ピンの打込みや強制回転と比較して、隙間Ｇの調整ないし管理が容易に行われ得る。
【００５２】
また、この場合、復針レバー９０の回転中心に偏心ブシュ１１０を介在させるだけでよいから、非円柱状ピンを打込む場合のようにピン打込み用の孔やピンの向きに応じて異なる程度に割れるべき割溝等を復針レバーに設ける必要がないので、過大なスペースを要しないだけでなく復針レバーの構造が簡単化され得、その寸法・形状の精度も高められ得る。
【００５３】
クロノグラフ機構７のクロノグラフ動作自体は、従来のクロノグラフ機構と同様である。
【００５４】
すなわち、図１に示した通常運針状態（クロノグラフ機構７のリセット状態）において、図５のスタート・ストップボタン４をＡ１方向に押すと、作動レバー５０がＡ１方向に押しこまれ、爪５１によって作動カム（ピラーホイール）４０がラチェット歯４１の一ピッチ分だけ回転される。このとき、復針規正レバー８５の規正部８７ａが隣接駆動歯（ピラー）４２、４２間の凹部から外れ駆動歯４２の外周面に押し上げられてＲ８２方向に回転し先端部８７ｂが復針レバー９０の肩部９７ａに係合して復針レバー９０をＲＱ２方向に回転させて復針レバー９０のアーム部９４、９３の分及び秒ハートカム３３、２３に対する干渉を完全に解除すると共に、復針レバー９０の係合部９７に係合する。また、作動カム４０の回転に伴い、停止レバー６０の規正部６２が隣接駆動歯４２、４２間の凹部から駆動歯４２の外周面に押し上げられて停止レバー６０がＲ４２方向に回転し、それにより発停レバーばね８０を介して発停レバー７０がＲ６１方向に回転されて、秒クロノグラフ中間車２４が秒クロノグラフ歯車２２に噛合する。その結果、秒クロノグラフ中間車２４を介して秒クロノグラフ車２０の回転が開始され、クロノグラフ動作が開始される（図６）。
【００５５】
一方、スタート・ストップボタン４（図５）を再度Ａ１方向に押すと、作動レバー５０を介して作動カム４０がラチェット歯４１の一ピッチ分だけ再度回転される。その結果、停止レバー６０の規正部６２が作動カム４０の隣接駆動歯４２、４２間の凹部に再度嵌り込んで、Ｒ４１方向に回転され、それにより発停レバーばね８０を介して発停レバー７０がＲ６２方向に回転されて、秒クロノグラフ中間車２４の秒クロノグラフ歯車２２に対する噛合が解除される。また、停止レバー６０のＲ４１方向回転により、停止レバー６０のばね部６８が秒クロノグラフ歯車２２に周面に当接して秒クロノグラフ車２０を停止位置に保つ。これにより、クロノグラフ機構７は、停止状態を採る（図７）。
【００５６】
クロノグラフ機構７をリセットして通常運針状態に戻すには、リセットボタン５（図５）をＢ１方向に押して、図７の復針伝達レバー８４をＢ１方向に押下げる。これにより、係合構造８４ｂ、８５ａを介して復針規正レバー８５がＲ８１方向に回転され、復針規正レバー８５の先端突起部８７ｂが復針レバー９０をＲＱ１方向に押して該復針レバー９０の肩部９７ａから外れ、復針規正レバー８５の規正部８７ｂが作動カム４０の隣接駆動歯４２、４２間の凹部に嵌る。復針規正レバー８５が復針レバー９０から外れると、復針レバー９０は、復針レバーばね９６の作用下でＲＱ２方向に回転され、秒クロノグラフ針リセットアーム部９４の先端面９４ａが秒ハートカム２３にぶつかって、秒ハートカム２３を初期位置に位置決めすることにより、秒クロノグラフ車２０を初期位置に戻し、秒クロノグラフ針１８をリセットする。偏心ブシュ１１０により位置調整された復針レバー９０のＲＱ２方向の回転に伴い、同時に、分クロノグラフ針リセットアーム部９３の先端面９３ａが分ハートカム３３にぶつかって、分ハートカム３３を初期位置の近傍に戻し、分クロノグラフジャンパ３５の作用下で、分クロノグラフ車３０が正確に初期位置に戻され、分クロノグラフ針１７がリセットされる。
【００５７】
なお、以上においては、時クロノグラフ針については、説明しなかったけれども、時クロノグラフ針は例えば特開平１１−１８３６５３号公報に記載されているような従来の機構と同様の機構により、クロノグラフ動作せしめられる。
【図面の簡単な説明】
【図１】本発明による好ましい一実施例の時計のクロノグラフ機構について非作動状態（またはリセット状態）すなわち通常運針状態を示した平面説明図（ＸＩＩ及びＩＩＩは、夫々、１２時方向及び３時方向を示す）。
【図２】図１のクロノグラフ機構の復針レバー及びその偏心位置調整のための関連部品についての拡大平面説明図（但し、固定ねじの取付前の状態）。
【図３】図２のクロノグラフ機構の偏心支持部分の断面（図２のほぼＩＩＩＡ−ＩＩＩＡ線断面）を拡大して示したもので、（ａ）は断面説明図、（ｂ）及び（ｃ）は夫々変形例についての同様な断面説明図。
【図４】図２のクロノグラフ機構の偏心ブシュの回動位置と分ハートカム及び復針レバーの面の間の隙間の大きさとの関係を模式的に示したグラフ。
【図５】図１のクロノグラフ機構を備えた時計の一例の正面説明図。
【図６】図１のクロノグラフ機構について、クロノグラフ動作のスタート状態を示した平面説明図。
【図７】図１のクロノグラフ機構について、クロノグラフ動作のストップ状態を示した平面説明図。
【符号の説明】
１　ウオッチ
２　アナログ式腕時計
３　クロノグラフ時計
４　スタート・ストップボタン
５　リセットボタン
７　クロノグラフ機構
１１、１２、１３　針（通常運針ないし通常計時用）
１６　時クロノグラフ針（クロノグラフ時針）
１７　分クロノグラフ針（クロノグラフ分針）
１８　秒クロノグラフ針（クロノグラフ秒針）
２０　秒クロノグラフ車
２１　秒クロノグラフ真
２２　秒クロノグラフ歯車
２３　秒ハートカム
２３ａ、３３ａ　最小径規定部
２４　秒クロノグラフ中間車
３０　分クロノグラフ車
３１　分クロノグラフ真
３２　分クロノグラフ歯車
３３　分ハートカム
３５　分クロノグラフジャンパ
４０　作動カム（ピラーホイール）
４１　ラチェット歯
４２　駆動歯（ピラー）
４４　作動カムジャンパ
５０　作動レバー（クロノグラフ動作スタート・ストップ）
６０　停止レバー
７０　発停レバー
７６　発停伝えレバー
８０　発停レバーばね
８４　復針伝達レバー
８５　復針規正レバー
８７ｂ　復針レバー規制突起部
９０　復針レバー
９１　軸受部
９２　基部側アーム部
９３　分クロノグラフ針リセットアーム部
９３ａ、９４ａ　先端当接面
９４　秒クロノグラフ針リセットアーム部
９８　固定ねじ
９９　ピン
９９ｆ　偏心軸部（偏心手段）
１１０　偏心ブシュ（偏心手段）
１１３　偏心筒状部
１１４　フランジ状部
１１５　被係合溝
１２２　偏心周面
Ｃ　中心軸線（基本中心軸線）
Ｇ　隙間
Ｑ　偏心中心軸線（調整中心軸線）
Ｒ１、Ｒ２　中心軸線Ｃのまわりでの回動方向
ＱＲ１、ＱＲ２　偏心中心軸線Ｑのまわりでの回動方向
【図１】
2004045191.tif 000003
【図２】
2004045191.tif 000004
【図３】
2004045191.tif 000005
【図４】
2004045191.tif 000006
【図５】
2004045191.tif 000007
【図６】
2004045191.tif 000008
【図７】
2004045191.tif 000009